(57)【特許請求の範囲】
【請求項１】
顧客が購入する商品を登録する商品登録手段と、
特定の商品についてのポイント倍率及び特定の商品群についてのポイント倍率を設定記憶する倍率設定テーブルと、
前記商品登録手段により登録された商品についてのポイント倍率及び当該商品が属する商品群についてのポイント倍率をいずれも初期値を１として記憶するワークメモリと、
前記商品登録手段により商品が登録されると、前記倍率設定テーブルを検索して当該登録商品に対してポイント倍率が設定されているか否かを判断する商品ポイント倍率検索手段と、
この商品ポイント倍率検索手段により当該登録商品に対してポイント倍率が設定されていると判断されると、前記ワークメモリの商品についてのポイント倍率をその設定ポイント倍率に変更する商品ポイント倍率変更手段と、
前記商品登録手段により商品が登録されると、前記倍率設定テーブルを検索して当該登録商品が属する商品群に対してポイント倍率が設定されているか否かを判断する商品群ポイント倍率検索手段と、
この商品群ポイント倍率検索手段により当該商品群に対してポイント倍率が設定されていると判断されると、前記ワークメモリの商品群についてのポイント倍率をその設定ポイント倍率に変更する商品群ポイント倍率変更手段と、
前記ワークメモリに記憶されている商品についてのポイント倍率と商品群についてのポイント倍率との大小比較を行い最大のポイント倍率を前記商品登録手段により登録された商品に対するポイント倍率として決定するポイント倍率決定手段と、
前記登録商品の販売金額に基づいて算出されるポイントに前記ポイント倍率決定手段により決定されたポイント倍率を乗算して当該登録商品のポイントを算定するポイント算定手段と、
を具備したことを特徴とするポイント処理装置。
【発明の詳細な説明】
【０００１】
【発明の属する技術分野】
本発明は、顧客が購入した商品に対してポイントを付与する商品販売システムで利用されるＰＯＳ（Point Of Sales：販売時点情報管理）ターミナル，電子式キャッシュレジスタ等のポイント処理装置に関する。
【０００２】
【従来の技術】
従来より、顧客が購入した商品に対してポイントを付与する商品販売システムにおいて、特定の商品または商品群について予めポイント倍率を設定し、顧客が購入した商品が特定商品そのものであったり特定商品群に属する商品であったとき、その商品に対して算出される通常のポイントを割増しすることで、販売の促進を図ることは行なわれていた。
【０００３】
この種の商品販売システムを処理可能な従来のＰＯＳターミナルとしては、商品登録手段により登録された商品が特定商品か否かを判断し、特定商品であればその特定商品に対して設定されたポイント倍率を取得する。そして、登録商品に対して算出される通常のポイントをそのポイント倍率で自動的に割増して、当該登録商品のポイントとして算定する単品仕様のものがあった。
【０００４】
また、商品登録手段により登録された商品が特定商品群に属する商品か否かを判断し、特定商品群に属する商品であればその商品群に対して設定されたポイント倍率を取得する。そして、登録商品に対して算出される通常のポイントをそのポイント倍率で自動的に割増して、当該登録商品のポイントとして算定する商品群仕様のものもあった。
さらに、単品仕様と商品群仕様とを設定により使い分けできるものもあった。
【０００５】
【発明が解決しようとする課題】
このように、従来のポイント処理機能を有するＰＯＳターミナル等においては、登録商品が特定商品か否か若しくは特定商品群に属する商品か否かを判断し、該当する場合にはその特定商品若しくは特定商品群に対して設定されるポイント倍率を当該登録商品のポイント倍率として決定して、登録商品のポイントを算定していた。
【０００６】
このため、例えばある商品が特定商品でありかつ特定商品群にも属する場合で、特定商品に対するポイント倍率が２倍であり、特定商品に対するポイント倍率が３倍であった場合、機器の仕様が単品仕様であればポイント倍率は２倍となり、商品群仕様であれば３倍となる。このように、機器の仕様の設定如何により最大のポイント倍率が選定されるとは限らなかった。
【０００７】
そこで本発明は、１つの登録商品に対して複数のポイント倍率が存在する場合には、最大のポイント倍率をその登録商品のポイント倍率として選定することで、常に顧客に対して可能な範囲で最大のポイントを付与することができ、販売のより一層の促進を図ることができるポイント処理装置を提供しようとするものである。
【０００８】
【課題を解決するための手段】
本願請求項１記載の発明は、顧客が購入する商品を登録する商品登録手段と、特定の商品についてのポイント倍率及び特定の商品群についてのポイント倍率を設定記憶する倍率設定テーブルと、商品登録手段により登録された商品についてのポイント倍率及び当該商品が属する商品群についてのポイント倍率をいずれも初期値を１として記憶するワークメモリと、商品登録手段により商品が登録されると、倍率設定テーブルを検索して当該登録商品に対してポイント倍率が設定されているか否かを判断する商品ポイント倍率検索手段と、当該登録商品に対してポイント倍率が設定されていると判断されると、ワークメモリの商品についてのポイント倍率をその設定ポイント倍率に変更する商品ポイント倍率変更手段と、商品登録手段により商品が登録されると、倍率設定テーブルを検索して当該登録商品が属する商品群に対してポイント倍率が設定されているか否かを判断する商品群ポイント倍率検索手段と、当該商品群に対してポイント倍率が設定されていると判断されると、ワークメモリの商品群についてのポイント倍率をその設定ポイント倍率に変更する商品群ポイント倍率変更手段と、ワークメモリに記憶されている商品についてのポイント倍率と商品群についてのポイント倍率との大小比較を行い最大のポイント倍率を商品登録手段により登録された商品に対するポイント倍率として決定するポイント倍率決定手段と、登録商品の販売金額に基づいて算出されるポイントにポイント倍率決定手段により決定されたポイント倍率を乗算して当該登録商品のポイントを算定するポイント算定手段とを備えたものである。
このような手段を講じたことにより、商品登録手段により登録された商品のポイントは、その商品がポイント倍率が設定された特定商品でなく、かつその商品が属する商品群もポイント倍率が設定された特定商品群でない場合には、その商品の販売金額に基づいて算出されるポイントがそのまま算定される。これに対し、特定商品または特定商品群の商品であった場合には、その特定商品または特定商品群に対して設定されたポイント倍率で割増しされたポイントが算定される。また、特定商品でかつ特定商品群の商品であった場合には、その特定商品に対して設定されたポイント倍率と特定商品群に対して設定されたポイント倍率とが比較され、大きい方のポイント倍率が選定されて、このポイント倍率で割増しされたポイントが算定される。
【０００９】
【発明の実施の形態】
以下、本発明の一実施の形態を図面を用いて説明する。
なお、この実施の形態は、本発明をＰＯＳターミナルに適用した場合である。
【００１０】
図１は本実施の形態におけるＰＯＳシステムの全体構成図であり、本発明のポイント処理装置としての機能を有する複数台のＰＯＳターミナル１と、単品マスタファイル２，顧客マスタファイル３，集計マスタファイル４などの各種データファイルを記憶管理する１台のファイルプロセッサ５とを、通信回線６で接続して、ＰＯＳシステムを構築している。
各ＰＯＳターミナル１は、店内の各精算所（レジ）に設置されている。ファイルプロセッサ５は、店の管理事務所などに設置されている。
【００１１】
前記単品マスタファイル２は、店で販売する各商品の単品データを記憶するもので、単品データは、図２に示すように、単品コード，リンククラスコード，リンク部門コード，リンクグループコード，単品名称，単価，ステータス等からなる。因みに、項目「単品コード」は、その商品固有のコードであり、通常、各商品には単品コードのバーコードが印刷または貼付されている。また、項目「リンククラスコード」，「リンク部門コード」及び「リンクグループコード」は、その商品が属する商品群毎のコードであり、商品群としては、小分類の「クラス」と、中分類の「部門」と、大分類の「グループ」とがある。
【００１２】
前記顧客マスタファイル３は、ポイントサービス会員として契約した各顧客のデータを記憶するもので、顧客データは、会員番号，氏名，性別，住所，電話番号，累計ポイント，取引履歴等からなる。因みに、会員番号は、その顧客固有のコードであり、各会員には自分の会員番号が磁気記録された会員カードが配布されている。
【００１３】
前記集計マスタファイル４は、各ＰＯＳターミナル１で販売登録された各商品の単品トランザクションデータに基づいて、その売上点数，売上金額などの売上データを、単品別，クラス別，部門別，グループ別等に分類して累計記憶するものである。
【００１４】
図３はＰＯＳターミナル１の要部構成を示すブロック図で、ＰＯＳターミナル１は、制御部本体としてＣＰＵ（Central Processing Unit）１１を備えている。また、ＣＰＵ１１の動作を制御するプログラム等の固定的データを予め格納したＲＯＭ（Read Only Memory）１２、可変的なデータを格納するための各種メモリエリアが形成されるＲＡＭ（Random Access Memory）１３、現日時を計時する時計部１４、前記通信回線６を接続してデータ通信を制御する通信インタフェース１５を備えている。
【００１５】
さらに、モードスイッチ１６から信号を入力するとともに、ドロワ１７に開放指令信号を出力するＩ／Ｏポート１８、商品販売登録用の各種キーが配設されたキーボード１９から操作キーに対応したキー信号を取込むキーボードコントローラ２０、オペレータ用表示器２１及び客用表示器２２をそれぞれ駆動して表示データに対応する文字などを表示させる表示コントローラ２３、レシート印字等を行うプリンタ２４の駆動を制御するプリンタコントローラ２５、スキャナ２６で読み取られたバーコードデータを取込むスキャナコントローラ２７、カードリーダ２８で読取られた会員カード等のデータを取込むカードリーダコントローラ２９等を備えている。
そしてＣＰＵ１１と、ＲＯＭ１２，ＲＡＭ１３，時計部１４，通信インタフェース１５，Ｉ／Ｏポート１８及び各コントローラ２０，２３，２５，２７，２９とを、アドレスバス，データバスなどのバスライン３０で接続して、ＰＯＳターミナル１の制御回路を構成している。
【００１６】
前記モードスイッチ１６は、電源のオン，オフを制御するとともに、「登録」，「設定」等の業務モードを選択しその実行をＣＰＵ１１に指令する制御スイッチで、鍵にて切替え操作される。因みに、「登録」とは、キーボード１９及びスキャナ２６の商品登録手段により登録された商品の販売データを売上処理する業務のモードである。また、「設定」とは、登録業務などを実行する上で必要なデータを予めＲＡＭ１３に設定する業務のモードである。なお、ＲＡＭ１３は、図示しないが、バッテリによって電源をバックアップしており、電源オフ時にも設定データ等を安定に記憶保持するようになっている。また、時計部１４も同じくバッテリによって電源をバックアップしている。
【００１７】
かかる構成のＰＯＳターミナル１は、図４に示すように、前記ＲＡＭ１３に特定の商品及び商品群（クラス，部門，グループ）についてのポイント倍率を設定記憶する倍率設定テーブル４１と、ポイントが適用される最低金額であるポイント基準金額を設定記憶する基準金額メモリ４２と、１顧客が買上げる全商品から算出される今回取引ポイントを記憶する今回取引ポイントメモリ４３と、登録商品の単品コード，クラスコード，部門コード，グループコード，単品名称，単価，売上点数及び売上金額の単品トランザクションデータを記憶するトランザクションメモリ４４と、登録商品のポイント対象金額Ａ，ポイント倍率Ｂ，単品ポイント倍率ｂ１，クラスポイント倍率ｂ２，部門ポイント倍率ｂ３及びグループポイント倍率ｂ４をそれぞれ記憶するワークメモリ４５とを形成して、本発明のポイント処理装置としての機能を実現している。
【００１８】
図５に前記倍率設定テーブル４１の詳細図を示す。図示するように、倍率設定テーブル４１は、一連のテーブル番号（No）順に、コード区分，コード，ポイント倍率，開始日，終了日及び倍率対象フラグｆの倍率設定データを記憶する。そのうち、データ項目「コード区分」は、対応するコードの種類を区分するもので、本実施の形態では、単品コードのコード区分を“１”、クラスコードのコード区分を“２”、部門コードのコード区分を“３”、グループコードのコード区分を“４”とする。また、データ項目「開始日」及び「終了日」は、対応するコードに対して同じく対応するポイント倍率を適用する期間の開始日と終了時である。また、データ項目「倍率対象フラグ」は、対応するコードに対して同じく対応するポイント倍率を適用するか否かを識別するフラグで、本実施の形態では、適用する場合にオン“１”、適用しない場合にオフ“０”とする。
【００１９】
なお、上記倍率設定テーブル４１及び基準金額メモリ４２のデータは、モードスイッチ１６により設定業務が選択された状態で、キー入力により追加，削除または修正できるようになっている。
【００２０】
しかして、本実施の形態においては、各ＰＯＳターミナル１のＣＰＵ１１が、特に図６の流れ図に示す倍率設定処理と、図７及び図８の流れ図に示す商品登録処理とを実行するように、プログラムを構成している。
【００２１】
すなわちＣＰＵ１１は、モードスイッチ１６の切替え操作により電源がオンされ、所定の立上げ処理を実行して立ち上がると、前記倍率設定処理を開始する。
先ず、ＳＴ（ステップ）１として時計部１４にて計時されている現時刻を読込み取得する。次に、ＳＴ２としてＲＡＭ１３に倍率設定テーブル４１が存在するか否かを判断する。存在しない場合には、この倍率設定処理を終了する。
【００２２】
倍率設定テーブル４１が存在する場合には、ＳＴ４としてこの倍率設定テーブル４１から番号順にコード区分，コード，ポイント倍率，開始日，終了日及び倍率対象フラグｆの倍率設定データを１データずつ読込み取得する。そして、１データを取得する毎に、ＳＴ５として時計部１４から取得した現日付が当該倍率設定データの開始日と終了日の期間内か否かを判断する。そして、期間内の場合には、ＳＴ６として当該倍率設定データの倍率対象フラグｆが“０”にリセットされていればセットし、期間外の場合には当該倍率設定データの倍率対象フラグｆが“１”にセットされていればリセットして、倍率設定テーブル４１を更新する。
【００２３】
倍率設定テーブル４１から倍率設定データを番号順に取得する毎に、上記の処理を繰り返す。そして、ＳＴ７として倍率設定テーブル４１に設定されている全ての倍率設定データについて上記処理を実行したならば、この倍率設定処理を終了する。
【００２４】
またＣＰＵ１１は、モードスイッチ１６により「登録」モードが選択されると、前記商品登録処理を実行可能となる。そして、ＳＴ１としてキーボード１９及びスキャナ２６の商品登録手段により顧客が買上げる商品の単品コードが入力されると、ＳＴ２としてＲＡＭ１３に登録中フラグがセットされているか否かを判断する。ここで、登録中フラグがセットされていない場合には、１顧客が買上げる最初の商品の単品コードが入力されたので、ＳＴ３として今回取引ポイントメモリ４３をクリアする。また、ＳＴ４としてＲＡＭ１３の所定エリアに登録中フラグをセットする。しかる後、ＳＴ５の処理に進む。
【００２５】
ＳＴ２にて登録中フラグがセットされていた場合には、１顧客が買上げる２点目以降の単品コードが入力されたので、ＳＴ３，ＳＴ４の処理を行わずにＳＴ５の処理に進む。
【００２６】
ＳＴ５では、商品登録手段により入力された単品コードを検索キーとして通信回線６を介して接続されたファイルプロセッサ５に単品レコードの問合せを行い、ファイルプロセッサ５の単品マスタファイル２から当該単品コードの単品レコード（単品コード，リンククラスコード，リンク部門コード，リンクグループコード，単品名称，単価，ステータス等）を取得する。なお、ＲＡＭ１３に単品ローカルファイルを形成し、商品登録手段により入力された単品コードを検索キーとして先ず単品ローカルファイルを検索し、当該単品コードの単品レコードが格納されていたならばそれを取得し、格納されていない場合にはファイルプロセッサ１に問合せをして、取得した単品レコードを当該単品ローカルファイルに蓄積保存するようにしてもよい。
【００２７】
ＳＴ５の処理により該当する単品レコードを取得できたならば、次に、ＳＴ６としてその単品レコードに基づいて単品トランザクションデータを作成し、トランザクションメモリ４４に上書きするとともに、ＲＡＭ１３のトランザクションファイルに蓄積保存する。なお、単品トランザクションデータにおいて売上点数は、テンキー入力により点数が入力されている場合にはその点数であり、入力されていない場合には「１」である。また売上金額は、当該単品レコードの単価に上記売上点数を乗算して算出した金額である。
【００２８】
次に、ＣＰＵ１１は、ＳＴ７としてワークメモリ４５のポイント対象額Ａのエリアに上記単品トランザクションデータの売上金額をセットする。また、ＳＴ８として後述するポイント倍率の判定処理を行い、得られたポイント倍率をワークメモリ４５のポイント倍率Ｂのエリアにセットする。
【００２９】
しかる後、ＳＴ９としてポイント対象額エリアの金額Ａを基準金額メモリ４２に予め設定されたポイント基準金額で除算し、その商（小数点以下切捨て）にポイント倍率エリアのポイント倍率Ｂを乗算して当該登録商品のポイントＰを算定する（ポイント算定手段）。そして、このポイントＰを今回取引ポイントメモリ４３に加算したならば、この商品登録処理を終了する。
【００３０】
こうして、今回取引ポイントメモリ４３に加算記憶された今回取引ポイントは、１顧客が買上げる商品の登録終了を宣言する締めキーの入力に応じて、カードリーダ２８で読取られた会員カードのカードデータとともにファイルプロセッサ５に送信され、顧客マスタファイル３の該当会員の累計ポイントとして反映されるものとなっている。
【００３１】
ここで、ＳＴ８のポイント倍率判定処理について、図８の流れ図を用いて具体的に説明する。
すなわち、ＣＰＵ１１は、ポイント倍率判定処理を開始すると、先ず、ワークメモリ４５の単品ポイント倍率ｂ１，クラスポイント倍率ｂ２，部門ポイント倍率ｂ３及びグループポイント倍率ｂ４の各エリアにそれぞれ「１」を初期値として設定する。
【００３２】
次に、単品トランザクションメモリ４４に格納されている単品トランザクションデータの単品コードで倍率設定テーブル４１を検索する。そして、倍率設定テーブル４１にコード区分が“１”（単品コード）でコードが当該単品コードと一致するレコードが存在する場合には、そのレコードの倍率設定フラグｆがオン“１”しているかチェックする。そして、倍率設定フラグｆがオン“１”している場合には、そのレコードの倍率データをワークメモリ４５の単品ポイント倍率ｂ１のエリアにセットする。倍率設定テーブル４１に該当するレコードが存在しない場合、または存在するが倍率設定フラグｆがオフ“０”している場合には、ワークメモリ４５の単品ポイント倍率ｂ１は「１」のままとする。
【００３３】
次に、単品トランザクションメモリ４４に格納されている単品トランザクションデータのリンククラスコードで倍率設定テーブル４１を検索する。そして、倍率設定テーブル４１にコード区分が“２”（クラスコード）でコードが当該リンククラスコードと一致するレコードが存在する場合には、そのレコードの倍率設定フラグｆがオン“１”しているかチェックする。そして、倍率設定フラグｆがオン“１”している場合には、そのレコードの倍率データをワークメモリ４５のクラスポイント倍率ｂ２のエリアにセットする。倍率設定テーブル４１に該当するレコードが存在しない場合、または存在するが倍率設定フラグｆがオフ“０”している場合には、ワークメモリ４５のクラスポイント倍率ｂ２は「１」のままとする。
【００３４】
次に、単品トランザクションメモリ４４に格納されている単品トランザクションデータのリンク部門コードで倍率設定テーブル４１を検索する。そして、倍率設定テーブル４１にコード区分が“３”（部門コード）でコードが当該リンク部門コードと一致するレコードが存在する場合には、そのレコードの倍率設定フラグｆがオン“１”しているかチェックする。そして、倍率設定フラグｆがオン“１”している場合には、そのレコードの倍率データをワークメモリ４５の部門ポイント倍率ｂ３のエリアにセットする。倍率設定テーブル４１に該当するレコードが存在しない場合、または存在するが倍率設定フラグｆがオフ“０”している場合には、ワークメモリ４５の部門ポイント倍率ｂ３は「１」のままとする。
【００３５】
次に、単品トランザクションメモリ４４に格納されている単品トランザクションデータのリンクグループコードで倍率設定テーブル４１を検索する。そして、倍率設定テーブル４１にコード区分が“４”（グループコード）でコードが当該リンクグループコードと一致するレコードが存在する場合には、そのレコードの倍率設定フラグｆがオン“１”しているかチェックする。そして、倍率設定フラグｆがオン“１”している場合には、そのレコードの倍率データをワークメモリ４５のグループポイント倍率ｂ４のエリアにセットする。倍率設定テーブル４１に該当するレコードが存在しない場合、または存在するが倍率設定フラグｆがオフ“０”している場合には、ワークメモリ４５のグループポイント倍率ｂ４は「１」のままとする。
【００３６】
こうして、単品ポイント倍率ｂ１，クラスポイント倍率ｂ２，部門ポイント倍率ｂ３及びグループポイント倍率ｂ４を取得したならば、これらの倍率ｂ１〜ｂ４の大小比較を行って、最大のものを当該登録商品のポイント倍率として決定する。そして、このポイント倍率をワークメモリ４５のポイント倍率Ｂのエリアにセットして、この倍率判定処理を終了する（ポイント倍率決定手段）。
【００３７】
このように、本実施の形態においては、商品登録手段により販売登録された商品に対して、その商品の単品コードに対するポイント倍率ｂ１と、リンククラスコードに対するポイント倍率ｂ２と、リンク部門コードに対するポイント倍率ｂ３と、リンクグループコードに対するポイント倍率ｂ４の４種類のポイント倍率を求める。そして、それぞれのポイント倍率ｂ１〜ｂ４の中から最大の倍率を当該登録商品のポイント倍率として決定し、その最大のポイント倍率で当該登録商品のポイントを割増しするようにしている。
【００３８】
今、倍率設定テーブル４１に図５に示すデータが設定されているものとする。この条件で、例えば１９９９年１２月１５日に単品コードが「４９ｘｘｘｘｘｘ１」，リンククラスコードが「１００１」，リンク部門コードが「００１１」，リンクグループコードが「０００３」の商品が単品登録されたとすると、単品コード「４９ｘｘｘｘｘｘ１」に対してはポイント倍率５．０が設定され、リンククラスコード「１００１」，リンク部門コード「００１１」及びリンクグループコードが「０００３」に対しては有効な倍率設定データが存在せずポイント倍率が１．０倍なので、当該登録商品のポイントはポイント倍率５．０倍で割増しされる。
【００３９】
また、例えば１９９９年１２月２０日に同一商品が単品登録されたとすると、単品コード「４９ｘｘｘｘｘｘ１」に対してはポイント倍率５．０が設定され、リンククラスコード「１００１」に対してはポイント倍率６．０が設定され、リンク部門コード「００１１」及びリンクグループコードが「０００３」に対しては有効な倍率設定データが存在せずポイント倍率が１．０倍なので、ポイント倍率としてリンククラスコード「１００１」に対する倍率６．０が選定され、当該登録商品のポイントはポイント倍率６．０倍で割増しされる。
【００４０】
また、例えば１９９９年１２月２３日に同一商品が単品登録されたとすると、単品コード「４９ｘｘｘｘｘｘ１」に対してはポイント倍率５．０が設定され、リンククラスコード「１００１」に対してはポイント倍率６．０が設定され、リンク部門コード「００１１」に対してはポイント倍率８．０が設定され、リンクグループコードが「０００３」に対してはポイント倍率１０．０が設定されているので、最大のポイント倍率１０．０が選定され、当該登録商品のポイントはポイント倍率１０．０倍で割増しされる。
【００４１】
このように本実施の形態によれば、１つの登録商品に対して複数のポイント倍率が存在する場合には、最大のポイント倍率をその登録商品のポイント倍率として選定するようにしたので、常に顧客に対して可能な範囲で最大のポイントを付与できるようになり、販売のより一層の促進を図ることができる。
【００４２】
また、単品，クラス，部門，グループの各種コードに対してそれぞれポイント倍率を設定する場合において、各商品の商品体系を意識せずに自由に設定できるので、設定作業が容易である利点もある。
【００４３】
なお、前記一実施の形態は、本発明のポイント処理装置としての機能をＰＯＳターミナル１に実装したものとして説明したが、電子式キャッシュレジスタにも同様に適用できるものである。
【００４４】
また、例えばインターネットを利用した仮想店舗において、顧客が買上げた商品に対してポイントを付与するサービスを実施するような場合でも、本発明を適用することができる。
【００４５】
【発明の効果】
以上詳述したように、本願請求項１記載の発明によれば、１つの登録商品に対して複数のポイント倍率が存在する場合には、最大のポイント倍率をその登録商品のポイント倍率として選定することで、常に顧客に対して可能な範囲で最大のポイントを付与することができ、販売のより一層の促進を図ることができるポイント処理装置を提供できる。
【図面の簡単な説明】
【図１】  本発明の一実施の形態であるＰＯＳシステムの全体図。
【図２】  図１における単品マスタファイルのレコードフォーマットを示す図。
【図３】  同実施の形態におけるＰＯＳターミナルの要部構成を示すブロック図。
【図４】  同ＰＯＳターミナルのＲＡＭに形成する主要なメモリエリアを示す図。
【図５】  図４における倍率設定テーブルの構成図。
【図６】  同ＰＯＳターミナルのＣＰＵが実行する倍率設定処理を示す流れ図。
【図７】  同ＰＯＳターミナルのＣＰＵが実行する商品登録処理を示す流れ図。
【図８】  図７のポイント倍率設定処理を具体的に示す流れ図。
【符号の説明】
１…ＰＯＳターミナル
１１…ＣＰＵ
１２…ＲＯＭ
１３…ＲＯＭ
１９…キーボード
２６…スキャナ
２８…カードリーダ
４１…倍率設定テーブル
４２…ポイント基準金額メモリ
【図１】
0003771411.tif 000002
【図２】
0003771411.tif 000003
【図３】
0003771411.tif 000004
【図４】
0003771411.tif 000005
【図５】
0003771411.tif 000006
【図６】
0003771411.tif 000007
【図７】
0003771411.tif 000008
【図８】
0003771411.tif 000009